(57)【要約】【課題】テープの向きを入れ替えることなく、二通りの使い方ができるテープディスペンサーを提供する。【解決手段】粘着テープを基点として、相対する二枚の切断刃を付けることで、粘着テープを必要な長さだけ引き出してから切断する使用方法と、テープを入れ替えることなく、本体の向きあるいは方向を変えるだけで、粘着テープを適当な長さに貼付けてから切断する使用方法の、二通りの使用方法が一台で簡単に使い分けることができる。【選択図】図１
2016052945.tif 000002
【特許請求の範囲】
【請求項１】
テープ保持部を基点とした２個以上の切断用の刃を有するテープディスペンサーである事を特徴とする。
【請求項２】
請求項１のテープディスペンサーにおいて、本体を回転もしくは反転させることで、テープの脱着を行なうことなく、切断刃がテープの粘着面、非粘着面のいずれからも切断できる機能を有したテープディスペンサーである事を特徴とする。
【請求項３】
請求項２のテープディスペンサーにおいて、切断刃の両側あるいは片側に、貼付ける目的物を効果的に押さえる役目を併せ持つガイドを有する事を特徴とする。
【請求項４】
請求項３のガイドにおいて、テープ切断時までは、テープが直接、切断刃先端に触れる事を軽減する機能を有する事を特徴とする。
【発明の詳細な説明】
【技術分野】
【０００１】本発明は、テープディスペンサーに関する。
【背景技術】
【０００２】粘着テープの切断用ホルダーとして、たとえば、特許文献１の図１に示す様なテープカッターが知られている。このホルダーは粘着テープ（以下、テープとする）を保持するホールド部と、ひとつの角に切断用の刃を有し、任意の長さに引き出したテープを切断できる。【０００３】しかし、例えば封筒の封緘などに使用する際は、目視で任意の長さにテープを引き出し、切断しなければならず、実際の貼付け部分より長かったり短かったりと、ちょうど良い長さに切断する事は困難である。【０００４】また、貼り付け部分の長さが長くなると、テープも長く引き出さなければならず、引き出したテープ同士が貼り付いたりして、きれいに貼れない等の不具合が生じ、不経済であり不要な時間も有する。【０００５】この改善策として、非特許文献１の荷造り用のテープホルダーの技術があるが、通常のテープディスペンサーとして使用するには、本体の設置状態によっては、粘着テープが設置場所や周辺の物に貼り付いたりして使い難い面が指摘されていた。
【先行技術文献】
【特許文献】
【０００６】
【特許文献１】  特開２０１０−８９２４４号公報
【非特許文献】
【０００７】
【非特許文献１】  カウネット通販カタログ２０１４年秋冬号Ｐ−９９４  ＰＰテープ用ハンドカッター
【発明の概要】
【発明が解決しようとする課題】
【０００８】この発明は、通常のテープカッターとしての使用もでき、なおかつテープの入れ替え等の作業なしに、先ずテープを貼付けてから、意図した長さで切断する。という使い方を兼ね備えたテープディスペンサーを提供する事を目的とする。
【課題を解決するための手段】
【０００９】この発明によるテープディスペンサーは、テープ保持部を中心として、向かい合う二角、又は隣接する二角に刃を持ち、片方はテープの粘着面と接し、もう片方はテープの非粘着面と接する構造で、いずれの刃も任意に使用できる構造を有するテープディスペンンサーである。【００１０】なお、非粘着面と接する刃側には、テープと刃を一定の条件に収めるガイドを有する。【００１１】また、この刃の直前にテープの貼り付けを補助するための段差をもうけ、切断刃の先端がテープに直接圧を加え、テープ表面に刃物痕が残る事を、軽減する機能を有する。
【発明の効果】
【００１２】本願の第一発明によるテープディスペンサーは、ふたつ以上の刃を備えたテープディスペンサーである。【００１３】テープの粘着面に接する刃（以下、第１切断刃）を使用する時は、卓上に置いて、あるいは手に持って、一般的なディスペンサーとして使用できる。【００１４】また、封筒の封緘などに使用する際は、先ずテープの端を目標物に貼付け、ディスペンサー本体を回転させて、目標物に押し付けながら移動させる事により、テープを貼付ける事ができる。【００１５】その際、ガイドがテープの横ズレを防止するので、テープの蛇行が少なく、正確に貼付け作業を行なう事ができる。【００１６】また、ガイドが貼り付け面と刃の隙間を一定の間隔に保持するので、刃が必要以上にテープに強くあたる事を防ぎ、テープに刃の跡が残る事を最小限に食い止める事ができる。【００１７】しかるに、目標部分まで異動後にテープの非粘着部分と接する刃（以下、第２切断刃）で切断する事ができるので、目標物に丁度の長さでテープを貼付ける事ができる。
【図面の簡単な説明】
【００１８】
【図１】  テープディスペンサーの斜視図である。
【図２】  テープディスペンサーの側面図である。
【図３】  テープディスペンサーの正面図、ならびに上面図である。
【図４】  テープディスペンサーの第１切断刃の使用例である。
【図５】  テープディスペンサーの第２切断刃の使用例である。
【図６】  第２切断刃使用時のガイドの効果を表した図である。
【図７】  第２切断刃を使用し、切断を行なう使用例である。
【図８】  テープディスペンサー２０１の側面図である。
【発明を実施するための形態】
【００１９】本発明は、図１が示す様にテープ保持部４を中心として、２並びに３の二枚の切断刃を有する構造である。
【００２０】図１は、一般的なテープカッターと同様の使用方法で設置した二点鎖線部分のテープが装着されている。
【００２１】使用時は、一般的なテープカッターと同様に、本体を片方の手で固定しテープを引き出して第１切断刃２で切断する事ができる。
【００２２】図２の側面図で構造を示す。
【００２３】図３は正刃２の方向から見た正面図と、上面から見た上面図である。
【００２４】図３の上面図で、テープ保持部４を中心とした第１切断刃２並びに第２切断刃３を示す。
【００２５】図４で第１切断刃２を使用した使用例を示す。
【００２６】通常の使用方法でも第１ガイド５が有効に作用し、切断刃から外れる事がなく切断が容易となる。
【００２７】テープの装着方向が確認しやすい様、粘着面を９３として指定する。
【００２８】図５は第２切断刃３の使用例である。
【００２９】テープ粘着面９３が、図４と同じ方向にあり、本体に対してテープの入れ替え作業が行われていない事が分かる。
【００３０】テープを引き出した状態で、非粘着面９２を指で押さえて、目的物に貼り第２ガイド６が目的物に接する様に本体をスライドさせる事で、目的物にテープが貼付けられる。
【００３１】図６は第２切断刃３を使用する時の第２ガイド６の効果を示した物である。
【００３２】ガイドが無いと、テープは切断刃から外れ、切断に支障が出るだけでなく、テープが切断刃の先端に触れる事でテープに刃物痕が残り見栄えが悪い。
【００３３】第２ガイド６を付ける事でテープが、切断刃の先端より先にテープ押さえ部７に触れ、切断刃先端に直接テープが触れ難いので、刃物痕が残りにくく、きれいにテープを貼付ける事ができる。
【００３４】図７は第２切断刃を使用してテープを切断する時の状態を表した図である。
【００３５】テープを貼付け目的位置までスライドさせた後、図７の様にガイドを目標物に付けたまま、本体の角度を変えると、第２切断刃３の先端も切断部分とテープが鋭角に接して、容易に切断ができる。
【００３６】図８は、テープ保持部と切断刃の位置関係を変化させた物である。
【００３７】図８が示す様に第１切断刃２と第２切断刃３の位置関係は、テープ保持部に平行に設置されていれば、両刃の相対する角度、距離は指定されず自由に設計できる。
【００３８】上記においては、本発明を好ましい実施形態として説明したが、各用語は、限定のために用いたのではなく、説明のために用いたものであって、本発明の範囲および精神をいつだつすることなく、添付のクレームの範囲において、変更することができるものである。また、上記においては、本発明のいくつかの典型的な実施形態についてのみ詳細に記載したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【００３８】１：テープディスペンサー
２：第１切断刃
３：第２切断刃
４：テープ保持部
５：第１ガイド
６：第２ガイド
７：テープ押さえ部
９１：粘着テープ
９２：テープ非粘着面
９３：テープ粘着面
【図１】
2016052945.tif 000003
【図２】
2016052945.tif 000004
【図３】
2016052945.tif 000005
【図４】
2016052945.tif 000006
【図５】
2016052945.tif 000007
【図６】
2016052945.tif 000008
【図７】
2016052945.tif 000009
【図８】
2016052945.tif 000010